(57)【特許請求の範囲】
【請求項１】
ワイヤレス通信のための方法であって、
ユーザ機器（ＵＥ）が、担当セルとしての第１のセルに対する第１のチャネル推定を決定することと、
前記ＵＥが、非担当セルとしての第２のセルに対する第２のチャネル推定を決定することと、
前記ＵＥが前記第１および第２のセルのうちの少なくとも１つに対して、前記第１および第２のチャネル推定を送ることと、
前記第１のチャネル推定に基づいて前記第１のセルにより送られた第１の送信を前記ＵＥが受信することと、
前記第２のチャネル推定に基づいて前記第２のセルにより送られた第２の送信を前記ＵＥが受信することとを含み、
前記第１および第２の送信は、同じリソース上で受信される方法。
【請求項２】
前記第１の送信は、前記第１のセルが前記ＵＥに送り、前記第２の送信は、前記ＵＥへの干渉を低減させるために、前記第２のチャネル推定に基づいて前記第２のセルが送る請求項１記載の方法。
【請求項３】
前記第１のセルに対するチャネル品質インジケータ（ＣＱＩ）情報を決定することと、
前記ＣＱＩ情報を前記第１のセルに送ることとをさらに含み、
前記第１の送信は、前記ＣＱＩ情報にさらに基づいて、前記第１のセルが送る請求項１記載の方法。
【請求項４】
前記第１のセルに対する第１のチャネル推定を決定することは、
前記第１のセルに対するチャネル応答ベクトルを取得することと、
前記チャネル応答ベクトルに基づいて、１組のチャネルベクトルからチャネルベクトルを選択することと、
前記選択したチャネルベクトルを前記第１のチャネル推定として提供することとを含む請求項１記載の方法。
【請求項５】
前記第１のセルに対するチャネル応答ベクトルを取得することは、
前記第１のセルに対するチャネル応答行列を取得することと、
前記ＵＥに対する受信フィルタベクトルを決定することと、
前記チャネル応答行列と、前記受信フィルタベクトルとに基づいて、前記チャネル応答ベクトルを決定することとを含む請求項４記載の方法。
【請求項６】
第１のビット数により、前記第１のチャネル推定を量子化することと、
前記第１のビット数よりも大きい第２のビット数により、前記第２のチャネル推定を量子化することとをさらに含む請求項１記載の方法。
【請求項７】
前記第１のセルに対する第１のチャネル推定は、複数の副帯域のそれぞれに対して決定され、前記第１のセルに送られる請求項１記載の方法。
【請求項８】
前記第１および第２のチャネル推定を送ることは、
前記第１のチャネル推定を前記第１のセルに送ることと、
前記第２のセルに転送するために、前記第２のチャネル推定を前記第１のセルに送ることとを含む請求項１記載の方法。
【請求項９】
前記第１および第２のチャネル推定を送ることは、
前記第１のチャネル推定を前記第１のセルに送ることと、
前記第２のチャネル推定を前記第２のセルに送ることとを含む請求項１記載の方法。
【請求項１０】
前記第１および第２のチャネル推定を送ることは、
前記第１および第２のチャネル推定を含むフィードバック情報に対するビットの総数が、予め定められている値に等しいか、または、前記予め定められている値よりも小さい場合に、制御チャネル上で前記フィードバック情報を送ることと、
前記フィードバック情報に対するビットの総数が、前記予め定められている値よりも大きい場合に、データチャネル上で前記フィードバック情報を送ることとを含む請求項１記載の方法。
【請求項１１】
前記第１および第２のチャネル推定を送ることは、時分割多重化（ＴＤＭ）により、前記第１および第２のチャネル推定を送ることを含む請求項１記載の方法。
【請求項１２】
ワイヤレス通信のための装置において、
ユーザ機器（ＵＥ）において、担当セルとしての第１のセルに対する第１のチャネル推定を決定する手段と、
前記ＵＥにおいて、非担当セルとしての第２のセルに対する第２のチャネル推定を決定する手段と、
前記第１および第２のセルに対して、前記第１および第２のチャネル推定を前記ＵＥから送る手段と、
前記第１のチャネル推定に基づいて前記第１のセルにより送られた第１の送信を前記ＵＥにおいて受信する手段と、
前記第２のチャネル推定に基づいて前記第２のセルにより送られた第２の送信を前記ＵＥにおいて受信する手段とを具備する装置。
【請求項１３】
前記第１のセルに対するチャネル品質インジケータ（ＣＱＩ）情報を決定する手段と、
前記ＣＱＩ情報を前記第１のセルに送る手段とをさらに具備し、
前記第１の送信は、前記ＣＱＩ情報にさらに基づいて、前記第１のセルにより送られる請求項１２記載の装置。
【請求項１４】
前記第１のセルに対する第１のチャネル推定を決定する手段は、
前記第１のセルに対するチャネル応答ベクトルを取得する手段と、
前記チャネル応答ベクトルに基づいて、１組のチャネルベクトルからチャネルベクトルを選択する手段と、
前記選択したチャネルベクトルを前記第１のチャネル推定として提供する手段とを備える請求項１２記載の装置。
【請求項１５】
前記第１および第２のチャネル推定を送る手段は、
前記第１および第２のチャネル推定を含むフィードバック情報に対するビットの総数が、予め定められている値に等しいか、または、前記予め定められている値よりも小さい場合に、制御チャネル上で前記フィードバック情報を送る手段と、
前記フィードバック情報に対するビットの総数が、前記予め定められている値よりも大きい場合に、データチャネル上で前記フィードバック情報を送る手段とを備える請求項１２記載の装置。
【請求項１６】
ワイヤレス通信のための装置において、
ユーザ機器（ＵＥ）において、担当セルとしての第１のセルに対する第１のチャネル推定を決定し、前記ＵＥにおいて、非担当セルとしての第２のセルに対する第２のチャネル推定を決定し、前記第１および第２のセルに対して、前記第１および第２のチャネル推定を前記ＵＥから送り、前記第１のチャネル推定に基づいて前記第１のセルにより送られた第１の送信を前記ＵＥにより受信し、前記第２のチャネル推定に基づいて前記第２のセルにより送られた第２の送信を前記ＵＥにより受信するように構成されている少なくとも１つのプロセッサを具備する装置。
【請求項１７】
前記少なくとも１つのプロセッサは、前記第１のセルに対するチャネル品質インジケータ（ＣＱＩ）情報を決定し、前記ＣＱＩ情報を前記第１のセルに送り、前記ＣＱＩ情報にさらに基づいて前記第１のセルにより送られた前記第１の送信を受信するように構成されている請求項１６記載の装置。
【請求項１８】
前記少なくとも１つのプロセッサは、前記第１のセルに対するチャネル応答ベクトルを取得し、前記チャネル応答ベクトルに基づいて、１組のチャネルベクトルからチャネルベクトルを選択し、前記選択したチャネルベクトルを前記第１のチャネル推定として提供するように構成されている請求項１６記載の装置。
【請求項１９】
前記少なくとも１つのプロセッサは、前記第１および第２のチャネル推定を含むフィードバック情報に対するビットの総数が、予め定められている値に等しいか、または、前記予め定められている値よりも小さい場合に、制御チャネル上で前記フィードバック情報を送り、前記フィードバック情報に対するビットの総数が、前記予め定められている値よりも大きい場合に、データチャネル上で前記フィードバック情報を送るように構成されている請求項１６記載の装置。
【請求項２０】
コンピュータ読み取り可能記憶媒体において、
少なくとも１つのコンピュータに、ユーザ機器（ＵＥ）において、担当セルとしての第１のセルに対する第１のチャネル推定を決定させるためのコードと、
前記少なくとも１つのコンピュータに、前記ＵＥにおいて、非担当セルとしての第２のセルに対する第２のチャネル推定を決定させるためのコードと、
前記少なくとも１つのコンピュータに、前記第１および第２のセルに対して、前記第１および第２のチャネル推定を前記ＵＥから送らせるためのコードと、
前記第１のチャネル推定に基づいて前記第１のセルにより送られた第１の送信を前記少なくとも１つのコンピュータに受信させるためのコードと、
前記第２のチャネル推定に基づいて前記第２のセルにより送られた第２の送信を前記少なくとも１つのコンピュータに受信させるためのコードとを含むコンピュータ読み取り可能記憶媒体。
【発明の詳細な説明】
【優先権の主張】
【０００１】
本出願は、２００８年８月１１日に出願され、本出願の譲受人に譲渡され、参照によりここに組み込まれている、“ワイヤレス通信システムにおいて分散ＭＩＭＯをサポートするための方法および装置”と題する米国仮出願シリアル番号第６１／０８７，９２２号に対する優先権を主張する。
【分野】
【０００２】
本開示は一般に、通信に関し、より詳細には、ワイヤレス通信システム中でのデータ送信をサポートする技術に関する。
【背景】
【０００３】
ワイヤレス通信システムは、音声、ビデオ、パケットデータ、メッセージング、ブロードキャストなどのような、さまざまな通信コンテンツを提供するために広く展開されている。これらのワイヤレスシステムは、利用可能なシステムリソースを共有することによって複数のユーザをサポートできる多元接続システムであってもよい。そのような多元接続システムの例は、コード分割多元接続（ＣＤＭＡ）システムと、時分割多元接続（ＴＤＭＡ）システムと、周波数分割多元接続（ＦＤＭＡ）システムと、直交ＦＤＭＡ（ＯＦＤＭＡ）システムと、単一搬送波ＦＤＭＡ（ＳＣ−ＦＤＭＡ）システムとを含む。
【０００４】
ワイヤレス通信システム（例えば、セルラシステム）は、多数のユーザ機器（ＵＥ）に対する通信をサポートできる、多数のノードＢを含んでいてもよい。ＵＥは、ダウンリンクおよびアップリンクによりノードＢと通信してもよい。ダウンリンク（すなわち、フォワードリンク）は、ノードＢからＵＥへの通信リンクを指し、アップリンク（すなわち、リバースリンク）は、ＵＥからノードＢへの通信リンクを指す。
【０００５】
ＵＥは、複数のセルのカバレッジ内にあってもよく、ここで、用語“セル”は、ノードＢのカバレッジエリアおよび／またはカバレッジエリアを担当するノードＢサブシステムを指すことができる。ＵＥに対する担当セルとして、１つのセルを選択してもよく、残りのセルを非担当セルと呼んでもよい。ＵＥは、非担当セルからの強い干渉を観察するかもしれない。強い非担当セルの存在の下でさえ、良好な性能を達成する方法で、データをＵＥに送ることが望まれる。
【概要】
【０００６】
単一ユーザおよびマルチユーザの分散多入力多出力（ＭＩＭＯ）送信をサポートする技術をここで記述する。マルチユーザ分散ＭＩＭＯの１つの設計において、セルの送信電力がＵＥに向けられる一方で、１つ以上の隣接セル中の１つ以上の他のＵＥへの干渉を低減させるように、セルは、ＵＥに送信を送ってもよい。単一ユーザ分散ＭＩＭＯの１つの設計において、複数のセルは、送信をＵＥに同時に送ってもよい。
【０００７】
１つの観点において、ＵＥは、その担当セルと、１つ以上の非担当セルとに対するチャネル推定を送って、マルチユーザ分散ＭＩＭＯをサポートしてもよい。各セルは、そのセルにより担当されているＵＥと、隣接セル中のＵＥとからチャネル推定を受信してもよい。各セルは、（ｉ）そのセルによるデータ送信のためのＵＥを選択し、（ｉｉ）干渉が隣接セル中のＵＥに対して低減されるように、選択したＵＥへのデータ送信に対して使用するプリコーディングベクトルを決定するために、すべてのＵＥに対するチャネル推定を使用してもよい。
【０００８】
１つの設計において、ＵＥは、第１のセル（例えば、担当セル）に対する第１のチャネル推定を決定し、第２のセル（例えば、非担当セル）に対する第２のチャネル推定を決定し、第１のセルに対するチャネル品質インジケータ（ＣＱＩ）情報を決定してもよい。ＵＥは、第１および第２のチャネル推定と、ＣＱＩ情報とを含むフィードバック情報を送ってもよい。ＵＥは、その後、第１のチャネル推定とＣＱＩ情報とに基づいて第１のセルによりＵＥに送られた第１の送信を受信してもよい。ＵＥはまた、第２のチャネル推定に基づいて第２のセルにより別のＵＥに送られた第２の送信を受信して、ＵＥへの干渉を低減させてもよい。
【０００９】
別の観点において、ＵＥは、その担当セルと、１つ以上の非担当セルとに対するＣＱＩ情報を送って、単一ユーザ分散ＭＩＭＯをサポートしてもよい。各セルは、そのセルにより担当されているＵＥと、隣接セル中のＵＥとからＣＱＩ情報を受信してもよい。各セルは、（ｉ）そのセルによるデータ送信のためのＵＥを選択し、（ｉｉ）選択したＵＥへのデータ送信に対して使用する変調およびコーディングスキームを決定するために、すべてのＵＥに対するＣＱＩ情報を使用してもよい。
【００１０】
１つの設計において、ＵＥは、第１のセルに対する第１のＣＱＩ情報を決定し、第２のセルに対する第２のＣＱＩ情報を決定し、第１および第２のＣＱＩ情報を含むフィードバック情報を送ってもよい。ＵＥは、その後、第１のＣＱＩ情報に基づいて第１のセルによりＵＥに送られた第１の送信を受信してもよい。ＵＥはまた、第２のＣＱＩ情報に基づいて第２のセルによりＵＥに送られた第２の送信を受信してもよい。第１および第２の送信は、第１および第２のセルにより他のＵＥに対して使用されていないリソース上で、同時に送られてもよい。
【００１１】
さらに別の観点において、ＵＥは、１つ以上の非担当セルによる干渉ヌリングを考慮に入れることにより、担当セルに対するＣＱＩ情報を決定してもよい。非担当セルは、ＵＥから受信したチャネル推定に基づいてビームステアリングを実行して、ＵＥへの干渉をヌルにするか、または、低減させてもよい。ＵＥは、非担当セルからのより少ない干渉を観察することができ、より高い信号対ノイズおよび干渉（ＳＩＮＲ）比を達成できる。したがって、ＵＥは、ＳＩＮＲを推定するときに、干渉ヌリングを実行する各非担当セルからのより少ない干渉を考慮に入れてもよい。これは、担当セルからＵＥへのデータ送信に対する、より正確なＣＱＩ情報を生じさせ得る。
【００１２】
１つの設計において、ＵＥは、ビームステアリングを実行してＵＥへの干渉を低減させる第２のセルからのより少ない干渉を考慮に入れることにより、第１のセルに対するＳＩＮＲを推定してもよい。ＵＥは、推定したＳＩＮＲに基づいて、ＣＱＩ情報を決定してもよく、ＣＱＩ情報を第１のセルに送ってもよい。ＵＥは、その後、ＣＱＩ情報に基づいて第１のセルによりＵＥに送られた送信を受信してもよい。
【００１３】
本開示のさまざまな観点および特徴を以下でさらに詳細に記述する。
【図面の簡単な説明】
【００１４】
【図１】図１は、ワイヤレス通信システムを示す。
【図２】図２は、マルチユーザ分散ＭＩＭＯに対するダウンリンク送信を示す。
【図３】図３は、単一ユーザ分散ＭＩＭＯに対するダウンリンク送信を示す。
【図４】図４は、マルチユーザ分散ＭＩＭＯによりデータを受信するためのプロセスを示す。
【図５】図５は、マルチユーザ分散ＭＩＭＯによりデータを受信する装置を示す。
【図６】図６は、マルチユーザ分散ＭＩＭＯによりデータを送るためのプロセスを示す。
【図７】図７は、マルチユーザ分散ＭＩＭＯによりデータを送る装置を示す。
【図８】図８は、単一ユーザ分散ＭＩＭＯによりデータを受信するためのプロセスを示す。
【図９】図９は、単一ユーザ分散ＭＩＭＯによりデータを受信する装置を示す。
【図１０】図１０は、単一ユーザ分散ＭＩＭＯによりデータを送るためのプロセスを示す。
【図１１】図１１は、単一ユーザ分散ＭＩＭＯによりデータを送る装置を示す。
【図１２】図１２は、干渉ヌリングによりＣＱＩ情報を決定するためのプロセスを示す。
【図１３】図１３は、干渉ヌリングによりＣＱＩ情報を決定する装置を示す。
【図１４】図１４は、ノードＢおよびＵＥのブロック図を示す。
【詳細な説明】
【００１５】
ここで記述する技術は、ＣＤＭＡシステムや、ＴＤＭＡシステムや、ＦＤＭＡシステムや、ＯＦＤＭＡシステムや、ＳＣ−ＦＤＭＡシステムや、他のシステムのような、さまざまなワイヤレス通信システムに対して使用してもよい。用語“システム”および“ネットワーク”は、区別なく使用されることが多い。ＣＤＭＡシステムは、ユニバーサル地上無線アクセス（ＵＴＲＡ）や、ｃｄｍａ２０００などのような無線技術を実現できる。ＵＴＲＡは、広帯域ＣＤＭＡ（ＷＣＤＭＡ）と、ＣＤＭＡの他の変形体とを含む。ｃｄｍａ２０００は、ＩＳ−２０００、ＩＳ−９５およびＩＳ−８５６の標準規格をカバーする。ＴＤＭＡシステムは、移動体通信用グローバルシステム（ＧＳＭ（登録商標））のような無線技術を実現できる。ＯＦＤＭＡシステムは、進化型ＵＴＲＡ（Ｅ−ＵＴＲＡ）や、ウルトラモバイルブロードバンド（ＵＭＢ）や、ＩＥＥＥ８０２．１１（Ｗｉ−Ｆｉ）や、ＩＥＥＥ８０２．１６（ＷｉＭＡＸ）や、ＩＥＥＥ８０２．２０や、フラッシュ−ＯＦＤＭ（登録商標）などのような無線技術を実現できる。ＵＴＲＡおよびＥ−ＵＴＲＡは、ユニバーサル移動体電気通信システム（ＵＭＴＳ）の一部である。３ＧＰＰロングタームエボリューション（ＬＴＥ）およびＬＴＥ−アドバンスト（ＬＴＥ−Ａ）は、Ｅ−ＵＴＲＡを使用するＵＭＴＳの新しいリリースであり、Ｅ−ＵＴＲＡは、ダウンリンク上でＯＦＤＭＡを用い、アップリンク上でＳＣ−ＦＤＭＡを用いる。ＵＴＲＡ、Ｅ−ＵＴＲＡ、ＵＭＴＳ、ＬＴＥ、ＬＴＥ−ＡおよびＧＳＭは、“第３世代パートナーシップ・プロジェクト”（３ＧＰＰ）と名付けられた組織からの文書で説明されている。ｃｄｍａ２０００およびＵＭＢは、“第３世代パートナーシップ・プロジェクト２”（３ＧＰＰ２）と名付けられた組織からの文書で説明されている。ここで記述する技術は、先に与えられたシステムおよび無線技術だけでなく、他のシステムおよび無線技術に対しても使用してもよい。明瞭にするために、技術のいくつかの観点は、ＬＴＥに対して以下で記述する。
【００１６】
図１は、ワイヤレス通信システム１００を示し、ワイヤレス通信システム１００は、ＬＴＥシステムまたは他の何らかのシステムのような、セルラシステムであってもよい。システム１００は、多数のＵＥに対して通信サービスをサポートできる、多数のノードＢと、他のネットワークエンティティとを含んでいてもよい。簡単にするために、３つのノードＢ１１０ａ、１１０ｂおよび１１０ｃだけを図１中で示している。ノードＢは、ＵＥと通信する基地局であり、進化型ノードＢ（ｅＮＢ）、基地局、アクセスポイントなどと呼ばれることもある。各ノードＢ１１０は、特定の地理的なエリア１０２に対して通信カバレッジを提供する。システムの容量を向上させるために、ノードＢの全カバレッジエリアは、複数のより小さいエリアに、例えば、３つのより小さいエリア１０４ａ、１０４ｂおよび１０４ｃに区分されていてもよい。より小さい各エリアは、それぞれのノードＢサブシステムにより担当されてもよい。３ＧＰＰにおいて、用語“セル”は、ノードＢのカバレッジエリア、および／または、このカバレッジエリアを担当するノードＢサブシステムを指すことができる。３ＧＰＰ２において、用語“セクタ”または“セル−セクタ”は、基地局の最も小さいカバレッジエリア、および／または、このカバレッジエリアを担当する基地局サブシステムを指すことができる。簡単にするために、セルの３ＧＰＰ概念を以下の記述において使用する。一般に、ノードＢは、１つまたは複数（例えば、３つ）のセルをサポートしてもよい。
【００１７】
多数のＵＥが、システム全体にわたって分散されていてもよく、各ＵＥは、固定型または移動型であってもよい。簡単にするために、図１は、各セル中に１つのＵＥ１２０だけを示す。ＵＥは、移動局、端末、アクセス端末、加入者ユニット、局などと呼ばれることもある。ＵＥは、セルラ電話機、パーソナルデジタルアシスタント（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局などであってもよい。用語“ＵＥ”および“ユーザ”は、ここでは区別なく使用される。
【００１８】
システム１００において、いくつかのＵＥは、隣接セルの境界に位置していてもよく、セルエッジＵＥと呼ばれることもある。セルエッジＵＥは、性能に悪影響を与える、高いセル間干渉を観察することがある。セルエッジＵＥの性能を向上させるために、いくつかのスキームを使用して、空間次元を活用してもよい。例えば、次のスキームを使用してもよい。  
・マルチユーザ分散ＭＩＭＯ−他の１つ以上のセル中の１つ以上のＵＥへの干渉を低減させるために、ビームステアリングにより、担当セルからＵＥにデータ送信を送る。  
・単一ユーザ分散ＭＩＭＯ−非担当セル（例えば、協同セル）からの干渉電力がＵＥにおいて所望の電力に変換されるように、複数のセルからＵＥにデータ送信を送る。
【００１９】
ビームステアリングは、送信の空間方向を、ターゲット受信機に向けるように、および／または、意図されたものではない受信機から離れるように制御するプロセスである。ビームステアリングは、以下で記述するように、送信機においてプリコーディングベクトルを送信に適用することにより実行してもよい。
【００２０】
図２は、異なる地理的なエリアをカバーする３つのセルｉ、ｊおよびｋを有する１つのノードＢに対する、マルチユーザ分散ＭＩＭＯによるダウンリンク送信を示す。隣接セルは通常、エッジにおいて互いにオーバーラップしており、そのことは、ＵＥがシステムに関して移動するときに、ＵＥが、何らかの位置において１つ以上のセルから通信カバレッジを受け取ることを可能にする。簡単にするために、図２は、２つのＵＥ ｕおよびｖだけを示す。ＵＥ ｕは、セルｉおよびｊの境界に位置しているセルエッジＵＥである。セルｉは、ＵＥ ｕに対する担当セルとして選択されてもよく、セルｊは、ＵＥ ｕに対する非担当セルであってもよい。ＵＥ ｖは、セルｊ内に位置している。セルｊは、ＵＥ ｖに対する担当セルであってもよく、セルｉは、ＵＥ ｖに対する非担当セルであってもよい。一般に、ＵＥは、任意の数のセルのカバレッジ内に位置していてもよく、任意の数の非担当セルを有していてもよい。
【００２１】
マルチユーザ分散ＭＩＭＯに対して、各セルは、そのセル中の１つ以上のＵＥにデータを送信する一方で、１つ以上の隣接セル中の１つ以上のＵＥへの干渉を低減させてもよい。例えば、セルｉは、データをＵＥ ｕに送信する一方で、隣接セルｊ中のＵＥ ｖへの干渉を低減させてもよい。同様に、セルｊは、データをＵＥ ｖに送信する一方で、隣接セルｉ中のＵＥ ｕへの干渉を低減させてもよい。一般に、各セルは、そのＵＥの方に向けられる空間ビームを形成する一方で、隣接セル中のＵＥへの干渉をヌルにするか、または、低減させてもよい。隣接セル中のＵＥは、より少ないセル間干渉を観察し得る。
【００２２】
図３は、３つのセルｉ、ｊおよびｋを有する１つのノードＢに対する、単一ユーザ分散ＭＩＭＯによるダウンリンク送信を示す。単一ユーザ分散ＭＩＭＯに対して、複数のセルは、異なるデータストリームを同じＵＥに同時に送ってもよい。例えば、セルｉは、１つのデータストリームをＵＥ ｕに送ってもよく、セルｊは、別のデータストリームをＵＥ ｕに送ってもよい。ＵＥ ｕにおける、セルｉおよびｊの両方に対する受信電力は、（単に所望の電力を提供する担当セルｉおよび干渉電力を提供する非担当セルｊの代わりに）所望の電力となるであろう。
【００２３】
１つの観点において、単一ユーザおよびマルチユーザの分散ＭＩＭＯだけでなく、空間次元を活用する他のスキームをサポートするために、ＵＥは、その担当セルおよび１つ以上の非担当セルに対するチャネルを推定し、チャネル推定を返送してもよい。セルに対するチャネル推定は、複素チャネル利得を含んでいてもよく、チャネル方向インジケータ（ＣＤＩ）情報と呼ぶこともある。ＵＥはまた、データをＵＥに送る各セルに対するＣＱＩ情報を推定して返送してもよい。ＣＱＩ情報は、ＳＩＮＲ、変調およびコーディングスキーム（ＭＣＳ）、または、同等の情報を含んでいてもよい。一般に、各セルに対するフィードバック情報は、ＣＤＩ情報、ＣＱＩ情報、他の情報、または、これらの任意の組み合わせを含んでいてもよい。ＣＤＩおよび／またはＣＱＩ情報は、広帯域であってもよく、全システム帯域幅に対して適用可能であってもよい。代わりに、システム帯域幅は、複数の副帯域に区切られていてもよく、ＣＤＩおよび／またはＣＱＩ情報は、対象となっている各副帯域に対して与えられてもよい。
【００２４】
簡単にするために、以下の記述の多くは、ＵＥ ｕへのデータ送信に対するものであり、ＵＥ ｕは、１つの担当セルｉと、インデックスｊを有する１つ以上の非担当セルとを有していてもよい。マルチユーザ分散ＭＩＭＯに対して、担当セルｉは、データをＵＥ ｕに送信してもよく、非担当セルｊは、ＵＥ ｕに対して干渉ヌリングを実行してもよい。単一ユーザ分散ＭＩＭＯに対して、担当セルｉおよび非担当セルｊの両方が、データをＵＥ ｕに送信してもよい。
【００２５】
例えば、図２中で示すように、マルチユーザ分散ＭＩＭＯに対して、ＵＥ ｕは、ＵＥ ｕへのデータ送信のための担当セルｉに対して、ＣＤＩおよびＣＱＩ情報を返送し、１つ以上の非担当セルに対して、例えば、強い干渉をＵＥ ｕにもたらす各非担当セルに対して、ＣＤＩ情報を返送してもよい。各非担当セルは、ＣＤＩ情報を使用して、ＵＥ ｕへの干渉を低減させてもよい。
【００２６】
ＵＥ ｕは、次のように、担当セルに対するＣＤＩ情報を決定してもよい。ＵＥ ｕは最初に、例えば、担当セルから受信した基準信号またはパイロットに基づいて、担当セルに対するチャネル推定を取得してもよい。ＵＥ ｕに単一のアンテナが装備されている場合、チャネル推定は、１×Ｔのチャネル応答行ベクトルｈiuにより与えられてもよく、ここで、Ｔは、担当セルｉに対するアンテナの数である。ベクトルｈiuは、Ｔ個の成分を含んでいてもよく、各成分は、担当セルｉに対する、１つのアンテナに対する１つの複素チャネル利得に対応する。ＵＥ ｕは、その大きさによりチャネル応答ベクトルを除算して、次のように単位ノルムベクトルを取得してもよい。
【数１】
0005619742.tif 000002
【００２７】
ここで、||ｈiu||は、チャネル応答ベクトルｈiuの大きさであり、ｈiu~は、担当セルｉに対する、１の大きさを有する正規化チャネル応答ベクトルである。
【００２８】
ＣＤＩ情報として、ベクトルｈiu~の個々の成分を送るために、多くのビットを必要とするかもしれない。１つの設計において、返送するＣＤＩ情報の量を低減させるために、２B個のチャネルベクトルを含むコードブックを規定してもよい。コードブック中の２B個のチャネルベクトルは、Ｂ次元単位球面上の等方的な分布から独立に選ばれてもよい。各チャネルベクトルは、コードブックのコードワードと呼ばれてもよく、固有のＢビットのインデックスが割り当てられてもよい。Ｂ＝４の１つの設計において、コードブックは、１６個のチャネルベクトルを含み、各チャネルベクトルに、固有の４ビットのインデックスが割り当てられてもよい。Ｂの他の値を使用してもよい。いずれにせよ、ＵＥ ｕは、ベクトルｈiu~に最も整合するチャネルベクトルをコードブックから選択してもよい。選択したチャネルベクトルをｈiu^として表す。
【００２９】
ＵＥ ｕは、選択したチャネルベクトルｈiu^のＢビットインデックスをＣＤＩ情報として担当セルｉに送ってもよい。担当セルｉはまた、セル中の他のＵＥおよび隣接セル中のＵＥからＣＤＩ情報を受信してもよい。例えば、担当セルｉは、非担当セルｊ中のＵＥ ｖから、選択されたチャネルベクトルｈiv^を含むＣＤＩ情報を受信してもよい。担当セルｉは、（ｉ）どのＵＥを担当するかを決定するためのユーザ選択、および、（ｉｉ）選択されたＵＥへのデータ送信に対して使用するプリコーディングベクトルを決定するためのビーム選択、に対してすべてのＵＥからのＣＤＩ情報を使用してもよい。例えば、担当セルｉは、ＵＥ ｕを担当することを決定してもよく、ＵＥ ｖへの干渉をヌルにすることを望んでもよい。担当セルｉは、（ｉ）ＵＥ ｕへの所望の電力を最大にするために、プリコーディングベクトルｗiができるだけｈiu^に一致し、（ｉｉ）ＵＥ ｖへの干渉電力を最小にするために、ｗiができるだけｈiv^に直交するように、プリコーディングベクトルｗiを決定してもよい。プリコーディングベクトルｗiは、ファクター（ｉ）および（ｉｉ）の間のトレードオフと、ことによると、他のファクターとに基づいて、選択されてもよい。
【００３０】
１つの設計において、担当セルｉは、データストリームをＵＥ ｕに送ってもよく、次のように、プリコーディングベクトルｗiにより、データストリームに対して、ビームステアリング／プリコーディングを実行してもよい。
【数２】
0005619742.tif 000003
【００３１】
ここで、ｄiは、担当セルｉにより送られるデータストリームを表し、ｘiは、担当セルｉにより送られる出力シンボルのベクトルである。
【００３２】
ＵＥ ｕは、次のように、非担当セルｊに対するＣＤＩ情報を決定してもよい。ＵＥ ｕは最初に、例えば、非担当セルから受信した基準信号またはパイロットに基づいて、非担当セルｊに対するチャネル推定を取得してもよい。チャネル推定は、チャネル応答ベクトルｈjuにより与えられてもよい。ＵＥ ｕは、その大きさによりチャネル応答ベクトルを除算して、次のように単位ノルムベクトルを取得してもよい。
【数３】
0005619742.tif 000004
【００３３】
ここで、ｈju~は、非担当セルｊに対する、正規化チャネル応答ベクトルである。
【００３４】
１つの設計において、Ｌ次元単位球面上の等方的な分布から独立に選ばれる２L個のチャネルベクトルを含むコードブックを規定してもよい。各チャネルベクトルには、固有のＬビットのインデックスが割り当てられてもよい。一般に、担当セルおよび非担当セルのためのコードブックに対するＢおよびＬは、Ｌ≧Ｂであるように選ばれてもよい。しかしながら、干渉ヌリングに対する良好な性能は、対象となっている各非担当セルに対する正確なチャネル推定に依存するかもしれないことから、Ｌ＞Ｂを有することが望まれるかもしれない。Ｌ＝６の１つの設計において、非担当セルに対するコードブックは、６４個のチャネルベクトルを含み、各チャネルベクトルには、固有の６ビットのインデックスが割り当てられてもよい。Ｌの他の値を使用してもよい。いずれにせよ、ＵＥ ｕは、ベクトルｈju~に最も整合するチャネルベクトルをコードブックから選択してもよい。選択したチャネルベクトルをｈju^として表す。
【００３５】
ＵＥ ｕは、非担当セルｊに対するＣＤＩ情報として、選択したチャネルベクトルｈju^のＬビットインデックスを送ってもよい。１つの設計において、ＵＥ ｕは、そのＣＤＩ情報を担当セルｉに送ってもよく、担当セルｉは、適当な干渉により、ＣＤＩ情報を非担当セルｊに転送してもよい。ＵＥ ｕは、非担当セルｊよりも、担当セルｉに対して、より良好なリンクを有していることから、この設計は、ＣＤＩフィードバックの信頼性を向上させるかもしれない。別の設計において、ＵＥ ｕは、ＣＤＩ情報を直接、非担当セルｊに送ってもよい。両方の設計に対して、非担当セルｊは、担当セルｉと同様の方法で、ユーザ選択およびビーム選択の両方に対して、ＵＥ ｕからのＣＤＩ情報と、他のＵＥからのＣＤＩ情報とを使用してもよい。例えば、非担当セルｊは、ＵＥ ｖを担当することを決定してもよく、ＵＥ ｕへの干渉をヌルにすることを望んでもよい。非担当セルｊは、（ｉ）ＵＥ ｖへの所望の電力を最大にするために、プリコーディングベクトルｗjができるだけＵＥ ｖに対して選択されたチャネルベクトルｈjv^に一致し、（ｉｉ）ＵＥ ｕへの干渉電力を最小にするために、ｗjができるだけｈju^に直交するように、プリコーディングベクトルｗjを決定してもよい。
【００３６】
１つの設計において、非担当セルｊは、次のように、プリコーディングベクトルｗjにより、そのデータストリームに対して、ビームステアリング／プリコーディングを実行してもよい。
【数４】
0005619742.tif 000005
【００３７】
ここで、ｄjは、非担当セルｊにより送られるデータストリームを表し、ｘjは、非担当セルｊにより送られる出力シンボルのベクトルである。
【００３８】
ＵＥ ｕは、担当セルｉおよび非担当セルｊからダウンリンク送信を受信してもよい。ＵＥ ｕにおける受信信号を次のように表現してもよい。
【数５】
0005619742.tif 000006
【００３９】
ここで、Ｒuは、ＵＥ ｕにおける受信信号であり、Ｎuは、ＵＥ ｕにより観察されるノイズである。
【００４０】
等式（５）において、総和は、複数の非担当セルがある場合に存在し、１つの非担当セルだけの場合、省略してもよい。
【００４１】
ＵＥ ｕは、さまざまな等化技術を利用して、受信信号を処理し、担当セルｉによりＵＥ ｕに送られたデータストリームを回復してもよい。これらの等化技術は、ゼロフォーシング（ＺＦ）、線形最小平均２乗誤差（ＭＭＳＥ）、最大尤度検出（ＭＬＤ）などを含んでもよい。ＵＥ ｕにおけるＳＩＮＲは、ＵＥ ｕにより利用される特定の等化技術に依存してもよい。
【００４２】
ＵＥ ｕは、次のように、担当セルｉに対するＣＱＩ情報を決定してもよい。ＵＥ ｕは、例えば、担当セルｉおよび非担当セルｊから受信した基準信号に基づいて、担当セルｉに対するＳＩＮＲを推定してもよい。ＳＩＮＲは、次のように表現してもよい。
【数６】
0005619742.tif 000007
【００４３】
ここで、ＰiおよびＰjは、それぞれ、セルｉおよびｊの送信電力であり、ＳＩＮＲuは、ＵＥ ｕにおけるＳＩＮＲである。
【００４４】
等式（６）において、分子は、担当セルｉからの所望の電力を含む。分母は、ＵＥ ｕにより観察されるノイズＮuと、非担当セルｊからの干渉電力とを含む。
【００４５】
１つの観点において、非担当セルｊによる干渉ヌリングを考慮に入れることにより、ＵＥ ｕにおけるＳＩＮＲを推定してもよい。非担当セルｊは、ＵＥ ｕへの干渉を低減させるために、ビームステアリングを実行してもよい。等式（６）の分母において｜ｈju ｗj｜＝０となるように、ｗjがｈjuに直交する場合に、完全な干渉ヌリングが達成される。ＵＥ ｕにより観察される干渉電力の量は、非担当セルｊによる干渉ヌリングの有効性に依存してもよい。干渉ヌリングの有効性は、（ｉ）選択されたチャネルベクトルｈju^がどれくらいチャネル応答ベクトルｈjuに整合しているか、および、（ｉｉ）選択されたチャネルベクトルｈju^に基づくプリコーディングベクトルｗjの選択、に依存してもよい。
【００４６】
選択されたチャネルベクトルと、実際のチャネル応答ベクトルとの間の正確さは、量子化誤差により与えられてもよい。担当セルｉおよび非担当セルｊに対する量子化誤差を次のように定義してもよい。
【数７】
0005619742.tif 000008
【００４７】
ここで、ｃｏｓθiuは、ｈiu^にｈiu~をマッピングする際の量子化誤差であり、ｃｏｓθjuは、ｈju^にｈju~をマッピングする際の量子化誤差であり、“Ｈ”は、エルミートまたは共役転置を表す。
【００４８】
ＳＩＮＲを推定する第１の設計において、非担当セルｊによる完全な干渉ヌリングを仮定してもよい。ｈju^にｈju~をマッピングする際の量子化誤差を無視してもよく、そのため、
【数８】
0005619742.tif 000009
【００４９】
である。さらに、プリコーディングベクトルｗjが、選択されたチャネルベクトルに直交であると仮定してもよく、そのため、｜ｈju^ ｗj｜＝０である。等式（６）から、ＵＥ ｕにおけるＳＩＮＲは、次のように推定される。
【数９】
0005619742.tif 000010
【００５０】
ＵＥ ｕおよびｖは、空間的に直交（または、それに近い）であってもよく、この事実につき選択されてもよい。このケースにおいて、担当セルｉは、
【数１０】
0005619742.tif 000011
【００５１】
として、そのプリコーディング行列を選択してもよい。ＵＥ ｕにおけるＳＩＮＲは、次のように推定される。
【数１１】
0005619742.tif 000012
【００５２】
等式（８）および（９）中で示すように、第１のＳＩＮＲ推定設計は、非担当セルｊによる完全な干渉ヌリングを仮定する。したがって、等式（８）および（９）の分母は、ＵＥ ｕにより観察されるノイズＮuだけを含み、非担当セルｊからの干渉はない。この設計は、いくつかの方法で対処してもよい、ＳＩＮＲの楽観的な推定を提供してもよい。１つの設計において、推定したＳＩＮＲをＣＱＩ情報にマッピングする際に、バックオフ係数またはマージンを使用してもよい。別の設計において、ＳＩＮＲの楽観的な推定は、ＨＡＲＱにより対処されてもよい。
【００５３】
ＳＩＮＲを推定する第２の設計において、非担当セルｊによる部分的な干渉ヌリングを仮定してもよく、ＳＩＮＲを推定する際に、残留干渉電力を考慮に入れてもよい。第２の設計に対して、ｈju^に直交する誤差項ｅjuを次のように定義してもよい。
【数１２】
0005619742.tif 000013
【００５４】
および
【数１３】
0005619742.tif 000014
【００５５】
等式（６）の分母における項｜ｈju~ ｗj｜2は、次のように表現できる。
【数１４】
0005619742.tif 000015
【００５６】
ここで、Ｍ＝２Lは、非担当セルｊに対するコードブックのサイズである。等式（６）の分子における項｜ｈiu~ ｗi｜2は、次のように表現できる。
【数１５】
0005619742.tif 000016
【００５７】
等式（１３）は、
【数１６】
0005619742.tif 000017
【００５８】
を仮定し、そのため、
【数１７】
0005619742.tif 000018
【００５９】
である。
【００６０】
ＵＥ ｕにおけるＳＩＮＲは、次のように推定される。
【数１８】
0005619742.tif 000019
【００６１】
第２のＳＩＮＲ推定設計に対して、セルｉおよびｊに対するノードＢは、これらのセルに対するプリコーディングベクトルを決定してもよい。ノードＢは、ＵＥ ｕにより報告されるＳＩＮＲに対して項｜ｈiu^ ｗi｜2を右から乗算して、調整されたＳＩＮＲを取得してもよい。
【００６２】
ＵＥ ｕは、上述したＳＩＮＲ推定設計または他の何らかの設計のうちの１つに基づいて、推定されたＳＩＮＲuを取得してもよい。ＵＥ ｕは、推定されたＳＩＮＲuに基づいて、ＣＱＩ情報を発生させてもよい。１つの設計において、推定されたＳＩＮＲuは、Ｋビットの値に量子化されてもよく、Ｋビットの値は、ＣＱＩ情報として提供されてもよい。Ｋは、４または他の何らかの適切な値であってもよい。別の設計において、２K個までのＭＣＳのテーブルを規定してもよい。各ＭＣＳは、特定の必要なＳＩＮＲに関係付けられていてもよく、固有のＫビットのインデックスが割り当てられてもよい。推定されたＳＩＮＲuは、テーブル中のＭＣＳのうちの１つにマッピングされてもよく、選択されたＭＣＳのＫビットのインデックスが、ＣＱＩ情報として提供されてもよい。ＳＩＮＲuはまた、他の方法でＣＱＩ情報にマッピングしてもよい。
【００６３】
先の記述は、ＵＥ ｕに単一のアンテナが装備されていることを仮定している。ＵＥ ｕに複数のアンテナが装備されている場合、担当セルｉからＵＥ ｕへのＭＩＭＯチャネルの応答は、Ｒ×Ｔチャネル応答行列Ｈiuにより与えられてもよい。担当セルｉに対するチャネル推定は、等価のチャネル応答ベクトルであってもよく、等価のチャネル応答ベクトルは、ＵＥ ｕにより利用されるＭＩＭＯ検出技術に依存してもよい。
【００６４】
１つの設計において、チャネル応答行列Ｈiuの特異値分解は、次のように表現できる。
【数１９】
0005619742.tif 000020
【００６５】
ここで、Ｕiuは、Ｈiuの左特異ベクトルのＲ×Ｒユニタリ行列であり、Λiuは、Ｈiuの特異値のＲ×Ｔ対角行列であり、Ｖiuは、Ｈiuの右特異ベクトルのＴ×Ｔユニタリ行列である。
【００６６】
ユニタリ行列Ｕは、特性ＵHＵ＝Ｉにより特徴付けられ、ここでＩは、単位行列である。Ｕの列は相互に直交しており、各列は、Λiuの対角成分は、Ｈiuの固有モードのチャネル利得を表す特異値である。
【００６７】
Λiu中の特異値は、対角線に沿って最大から最小に順序付けられてもよい。ＵiuおよびＶiu中のベクトルは、Λiu中の特異値と同じ方法で順序付けられていてもよい。順序付け後の、Ｕiuの第１列は、優位（dominant）左特異ベクトルであり、ｕi,1として表されてもよい。Ｖiuの第１の列は、優位右特異ベクトルであり、ｖi,1として表されてもよい。
【００６８】
１つの設計において、担当セルｉに対するチャネル推定は、次のように定義されるチャネル応答ベクトルにより与えられてもよい。
【数２０】
0005619742.tif 000021
【００６９】
ここで、λi,1は、Λiu中の最大の特異値である。
【００７０】
等式（１６）中で示した設計に対して、ＵＥ ｕは、その受信信号を受信フィルタベクトルｕi,1に左から乗算することにより、ＭＩＭＯ検出（または受信フィルタリング）を実行すると仮定してもよい。ｈiuは、優位右特異ベクトルのスケーリングされたバージョンにより規定される等価チャネルであってもよい。ｈiuをチャネルベクトルｈiu^にマッピングしてもよく、チャネルベクトルｈiu^を、担当セルｉに対するＣＤＩ情報として提供してもよい。
【００７１】
１つの設計において、非担当セルｊに対するチャネル推定は、次のように定義されるチャネル応答ベクトルにより与えられてもよい。
【数２１】
0005619742.tif 000022
【００７２】
ここで、Ｈjuは、非担当セルｊに対するチャネル応答行列である。
【００７３】
等式（１７）中で示した設計において、非担当セルｊに対するチャネル応答ベクトルｈjuは、同じ受信フィルタベクトルｕi,1を、非担当セルｊに対するチャネル応答行列Ｈjuに適用することにより取得される。ｈjuをチャネルベクトルｈju^にマッピングしてもよく、チャネルベクトルｈju^を、非担当セルｊに対するＣＤＩ情報として提供してもよい。
【００７４】
単一ユーザ分散ＭＩＭＯに対して、例えば、図３中で示したように、ＵＥ ｕは、ＵＥ ｕに対して確保されたリソース上で、複数のセルから複数のデータストリームを受信してもよい。例えば、セルｉおよびｊは、リソースブロック上で、２つのデータストリームをＵＥ ｕに送ってもよく、セルｉおよびｊ中の他のいかなるＵＥも、このリソースブロック上でスケジュールされなくてもよい。
【００７５】
１つの設計において、ＵＥ ｕは、セルｉおよびｊのそれぞれに対してＣＱＩ情報を決定してもよく、ＣＱＩ情報を報告してもよい。各セルに対して報告されるＣＱＩ情報は、ＵＥ ｕにより利用されるＭＩＭＯ検出技術に依存してもよく、ＭＩＭＯ検出技術は、ゼロフォーシング、ＭＭＳＥ、逐次干渉除去（ＳＩＣ）を有するＭＭＳＥ、ＭＬＤなどであってもよい。各セルに対するＣＱＩ情報は、Ｋビット（例えば、Ｋ＝４ビット）に量子化してもよい。
【００７６】
別の設計において、ＵＥ ｕは、セルｉおよびｊの両方に対して、ＣＤＩおよびＣＱＩ情報を決定してもよく、ＣＤＩおよびＣＱＩ情報を報告してもよい。１つの設計において、各セルに対するＣＤＩ情報は、上述したように、そのセルに対するチャネル応答ベクトルまたは行列に基づいて、別々に決定されてもよい。別の設計において、両方のセルに対するＣＤＩ情報を一緒に決定してもよい。いずれにせよ、各セルに対するＣＤＩおよびＣＱＩ情報は、上述したように量子化してもよい。
【００７７】
各セルは、ＵＥ ｕから直接に、または、別のセルを介して、そのＣＱＩ情報を受信してもよい。各セルは、ＣＱＩ情報に基づいて、ＭＣＳを選択してもよく、選択したＭＣＳに基づいて、データストリームをＵＥ ｕに送ってもよい。ＵＥ ｕは、セルｉおよびｊから２つのデータストリームを受信してもよい。単一ユーザおよびマルチユーザの分散ＭＩＭＯの両方に対して、ＵＥ ｕは、さまざまな方法で、ＣＤＩおよびＣＱＩ情報を導出してもよい。１つの設計において、ＵＥ ｕは、報告されている各セルに対して、広帯域ＣＤＩ情報を提供してもよい。例えば、ＵＥ ｕは、各セルに対して、全システム帯域幅に対する単一のチャネルベクトルを提供してもよく、対象となっているすべての副帯域に対して平均をとることにより、このチャネルベクトルを取得してもよい。別の設計において、ＵＥ ｕは、各セルに対して狭帯域ＣＤＩ情報を提供してもよく、例えば、対象となっている各副帯域に対して１つのチャネルベクトルを提供してもよい。一般に、ＵＥ ｕは、任意の数の副帯域に対する任意の数のチャネルベクトルを各セルに提供してもよい。
【００７８】
１つの設計において、ＵＥ ｕは、担当セルｉに対して広帯域ＣＱＩ情報を提供してもよく、例えば、全システム帯域幅に対する単一のＣＱＩ情報を提供してもよい。このＣＱＩ値は、対象となっているすべての副帯域に対して平均をとることにより取得してもよい。別の設計において、ＵＥ ｕは、担当セルｉに対して狭帯域ＣＱＩ情報を提供してもよく、例えば、対象となっている各副帯域に対して１つのＣＱＩ値を提供してもよい。一般に、ＵＥ ｕは、任意の数の副帯域に対して任意の数のＣＱＩ値を提供してもよい。担当セルｉは、ユーザ選択およびＭＣＳ選択の両方に対して、ＣＱＩ情報を使用してもよい。
【００７９】
ＵＥ ｕは、さまざまな方法で、ＣＤＩおよびＣＱＩ情報を送ってもよい。１つの設計において、ＵＥ ｕは、同時に、担当セルおよび非担当セルの両方に対するＣＤＩ情報を送ってもよい。別の設計において、ＵＥ ｕは、時分割多重化（ＴＤＭ）方法で、セルｉおよびｊに対するＣＤＩ情報を送って、アップリンクのオーバヘッドを低減させてもよい。１つの設計において、ＵＥ ｕは、ＣＤＩ情報が送られるたびに、ＣＱＩ情報を送ってもよい。別の設計において、ＵＥ ｕは、ＣＤＩ情報とは異なる（例えば、より遅い）レートで、ＣＱＩ情報を送ってもよい。ＵＥ ｕはまた、ＴＤＭ方法でＣＱＩおよびＣＤＩ情報を送って、アップリンクのオーバヘッドを低減させてもよい。
【００８０】
ＵＥ ｕは、システムによりサポートされているさまざまな物理チャネル上で、ＣＤＩおよび／またはＣＱＩ情報を送ってもよい。ＬＴＥに対して、ＵＥ ｕには、物理アップリンク制御チャネル（ＰＵＣＣＨ）および／または物理アップリンク共有チャネル（ＰＵＳＣＨ）に対するリソースが割り当てられてもよい。ＰＵＣＣＨは、限定された送信能力を有していてもよく、ＵＥ ｕは、所定のサブフレーム中のＰＵＣＣＨ上で、小さいペイロード（例えば、１４ビットまたはより少ない）を送ることができてもよい。総ペイロードサイズがＰＵＣＣＨの送信能力に等しいか、または、ＰＵＣＣＨの送信能力よりも小さい場合、ＵＥ ｕは、ＰＵＣＣＨ上で、ＣＤＩおよび／またはＣＱＩ情報を含むフィードバック情報を送ってもよい。さもなければ、ＵＥ ｕは、ＰＵＳＣＨ上でフィードバック情報を送ってもよい。例えば、チャネルフィードバックが副帯域ごとであり、かつ、ＵＥ ｕが、１つよりも多い副帯域に対するＣＱＩおよび／またはＣＤＩ情報を報告している場合、ＰＵＳＣＨを使用してもよい。
【００８１】
１つの設計において、ＵＥ ｕは、セルｉおよびｊの両方に対するフィードバック情報（例えば、ＣＤＩおよび／またはＣＱＩ情報）を、担当セルｉに送ってもよい。担当セルｉは、セルｉに対するフィードバック情報を保持してもよく、セルｊに対するフィードバック情報をセルｊに転送してもよい。別の設計において、ＵＥ ｕは、各セルに対するフィードバック情報を、そのセルに対して直接送ってもよい。
【００８２】
一般に、ここで記述する技術は、任意の数のセルに対して使用してもよい。マルチユーザ分散ＭＩＭＯに対して、ＵＥ ｕは、ＣＤＩおよびＣＱＩ情報を担当セルｉに送ってもよく、ＣＤＩ情報を各非担当セルに（直接的に、または、間接的に）送ってもよい。各非担当セルは、ＵＥ ｕからのＣＤＩ情報に基づいて、そのプリコーディングベクトルを選択して、ＵＥ ｕへの干渉を低減させてもよい。単一ユーザ分散ＭＩＭＯに対して、ＵＥ ｕは、ＵＥ ｕにデータを送っている各セルに対してＣＱＩ情報を送ってもよい。各セルは、１つ以上のデータストリームをＵＥ ｕに送ってもよく、そのセルに対するＣＱＩ情報に基づいて選択されたＭＣＳにしたがって、各データストリームを処理してもよい。ＣＤＩ情報がＵＥ ｕにより送られる場合、各セルはまた、ビームステアリングを実行してもよい。
【００８３】
図４は、ワイヤレス通信システム中でデータを受信するためのプロセス４００の設計を示す。プロセス４００は、（以下で記述するように）ＵＥにより、または、他の何らかのエンティティにより実行されてもよい。ＵＥは、例えば、担当セルのような第１のセルに対する第１のチャネル推定を決定してもよい（ブロック４１２）。ＵＥはまた、例えば、非担当セルのような第２のセルに対する第２のチャネル推定を決定してもよい（ブロック４１４）。第１および第２のチャネル推定は、チャネルベクトルｈiu^およびｈju^、または、他の何らかのチャネル情報により与えられてもよい。ＵＥはまた、例えば、第１のチャネル推定および第２のチャネル推定に基づいて、第１のセルに対するＣＱＩ情報を決定してもよい（ブロック４１６）。ＵＥは、第１および第２のセルのうちの少なくとも１つに対して、第１および第２のチャネル推定を送ってもよい（ブロック４１８）。ＵＥはまた、ＣＱＩ情報を第１のセルに送ってもよい（ブロック４２０）。
【００８４】
ＵＥは、その後、第１のチャネル推定および（利用可能である場合）ＣＱＩ情報に基づいて第１のセルにより送られた第１の送信を受信してもよい（ブロック４２２）。ＵＥはまた、第２のチャネル推定に基づいて第２のセルにより送られた第２の送信を受信してもよい（ブロック４２４）。第１および第２の送信は、同じリソース上で受信されてもよい。第１のチャネル推定に基づいて選択された第１のプリコーディングベクトルにより、第１のセルによって、第１の送信をＵＥに送って、第１のセルの送信電力をＵＥに向けて、ＵＥにおけるＳＩＮＲを向上させてもよい。第２のチャネル推定に基づいて選択された第２のプリコーディングベクトルにより、第２のセルによって、第２の送信を別のＵＥに送って、ＵＥへの干渉を低減させてもよい。
【００８５】
ブロック４１２および４１４の１つの設計において、ＵＥは、例えば、各セルから受信した基準信号またはパイロットに基づいて、各セルに対するチャネル応答ベクトルｈを取得してもよい。ＵＥは、チャネル応答ベクトルに基づいて、１組のチャネルベクトル（またはコードブック）からチャネルベクトルｈ^を選択してもよい。異なるコードブックを、担当セルおよび非担当セルに対して使用してもよい。ブロック４１２および４１４の別の設計において、ＵＥは、各セルに対するチャネル応答行列Ｈを取得してもよい。ＵＥはまた、受信フィルタベクトルｕを決定してもよい。ＵＥは、各セルに対するチャネル応答行列Ｈと、受信フィルタベクトルｕとに基づいて、各セルに対するチャネル応答ベクトルｈを決定してもよい。ＵＥは次に、チャネル応答ベクトルに基づいて、１組のチャネルベクトルからチャネルベクトルｈ^を選択してもよい。両方の設計に対して、ＵＥは、セルに対するチャネル推定として、選択されたチャネルベクトルｈ^を提供してもよい。
【００８６】
１つの設計において、ＵＥは、第１のビット数（例えば、Ｂ＝４ビット）により、第１のチャネル推定を量子化してもよい。ＵＥは、第１のビット数よりも大きい、第２のビット数（例えば、Ｌ＝６ビット）により、第２のチャネル推定を量子化してもよい。各チャネル推定に対するビットの数は、そのチャネル推定を量子化するために使用されるコードブックのサイズに依存してもよい。１つの設計において、ＵＥは、各セルに対して、全システム帯域幅に対するチャネル推定を決定してもよい。別の設計において、ＵＥは、各セルに対して、複数の副帯域のそれぞれに対するチャネル推定を決定してもよい。
【００８７】
ブロック４１８の１つの設計において、ＵＥは、第１のチャネル推定を第１のセルに送ってもよく、第２のセルに転送するために、第２のチャネル推定を第１のセルに送ってもよい。ブロック４１８の別の設計において、ＵＥは、第１のチャネル推定を第１のセルに送ってもよく、第２のチャネル推定を第２のセルに送ってもよい。ＵＥは、同時に、または、ＴＤＭにより、第１および第２のチャネル推定を送ってもよい。
【００８８】
１つの設計において、第１および第２のチャネル推定とＣＱＩ情報とを含むフィードバック情報に対するビットの総数が、予め定められている値に等しいか、または、予め定められている値よりも小さい場合、ＵＥは、制御チャネル（例えば、ＰＵＣＣＨ）上でフィードバック情報を送ってもよい。この予め定められている値は、制御チャネルの送信能力に依存してもよい。フィードバック情報に対するビットの総数が、予め定められている値よりも大きい場合、ＵＥは、データチャネル（例えば、ＰＵＳＣＨ）上でフィードバック情報を送ってもよい。ＵＥはまた、他の方法で、チャネル推定およびＣＱＩ情報を送ってもよい。
【００８９】
図５は、ワイヤレス通信システム中でデータを受信する装置５００の設計を示す。装置５００は、ＵＥにおいて、第１のセルに対する第１のチャネル推定を決定するモジュール５１２と、ＵＥにおいて、第２のセルに対する第２のチャネル推定を決定するモジュール
５１４と、例えば、第１のチャネル推定および第２のチャネル推定に基づいて、第１のセルに対するＣＱＩ情報を決定するモジュールモジュール５１６と、第１および第２のセルのうちの少なくとも１つに対して、第１および第２のチャネル推定をＵＥから送るモジュール５１８と、ＣＱＩ情報を第１のセルに送るモジュール５２０と、第１のチャネル推定および（利用可能な場合）ＣＱＩ情報に基づいて第１のセルにより送られた第１の送信を受信するモジュール５２２と、例えば、ＵＥへの干渉を低減させるために、第２のチャネル推定に基づいて第２のセルにより送られた第２の送信を受信するモジュール５２４とを含む。
【００９０】
図６は、ワイヤレス通信システム中でデータを送るためのプロセス６００の設計を示す。プロセス６００は、（以下で記述するように）ノードＢにより、または、他の何らかのエンティティにより実行してもよい。ノードＢは、第１のセルと通信する第１のＵＥから第１のチャネル推定（例えば、ｈiu^）を受信してもよい（ブロック６１２）。ノードＢは、第２のセルと通信する第２のＵＥから第２のチャネル推定（例えば、ｈjv^）を受信してもよい（ブロック６１４）。ノードＢはまた、第１のＵＥからＣＱＩ情報を受信してもよい（ブロック６１６）。ノードＢは、第１のセルの送信電力を第１のＵＥに向け、第２のＵＥへの干渉を低減させるために、第１および第２のチャネル推定に基づいて、第１のセルに対するプリコーディングベクトル（例えば、ｗi）を選択してもよい（ブロック６１８）。ノードＢは、プリコーディングベクトルおよびＣＱＩ情報に基づいて、第１のセルから第１のＵＥに送信を送ってもよい（ブロック６２０）。例えば、ノードＢは、（利用可能である場合）ＣＱＩ情報に基づいて、ＭＣＳを決定してもよい。ノードＢは次に、ＭＣＳに基づいて、第１のＵＥに対して送信を発生させてもよい。ノードＢはまた、ＣＱＩ情報が利用可能でない場合に、他の方法で決定されたＭＣＳに基づいて、送信を発生させてもよい。１つの設計において、ノードＢは、第１および第２のチャネル推定に基づいて、第１および第２のＵＥ間の空間直交性を決定してもよい。例えば、ノードＢは、メトリック｜ｈjv^ｈiu^H｜を計算してもよく、メトリック｜ｈjv^ｈiu^H｜は、より大きい空間直交性に対して、より小さい値を有することができ、逆の場合も同様である。ノードＢは、第１および第２のＵＥ間の空間直交性に基づいて、送信のための第１のＵＥを選択してもよい。
【００９１】
図７は、ワイヤレス通信システム中でデータを送る装置７００の設計を示す。装置７００は、第１のセルと通信する第１のＵＥから第１のチャネル推定を受信するモジュール７１２と、第２のセルと通信する第２のＵＥから第２のチャネル推定を受信するモジュール７１４と、第１のＵＥからＣＱＩ情報を受信するモジュール７１６と、第１のセルの送信電力を第１のＵＥに向け、第２のＵＥへの干渉を低減させるために、第１および第２のチャネル推定に基づいて、第１のセルに対するプリコーディングベクトルを選択するモジュール７１８と、プリコーディングベクトルおよび（利用可能な場合）ＣＱＩ情報に基づいて、第１のセルから第１のＵＥに送信を送るモジュール７２０とを含む。
【００９２】
図８は、ワイヤレス通信システム中でデータを受信するためのプロセス８００の設計を示す。プロセス８００は、（以下で記述するように）ＵＥにより、または、他の何らかのエンティティにより実行してもよい。ＵＥは、第１のセルに対する第１のＣＱＩ情報を決定してもよく（ブロック８１２）、また、第２のセルに対する第２のＣＱＩ情報を決定してもよい（ブロック８１４）。第１および第２のセルは、ＵＥにおいて十分な基準信号の強度を有する２つのセルであってもよい。ＵＥは、第１および第２のセルのうちの少なくとも１つに対して、第１および第２のＣＱＩ情報を送ってもよい（ブロック８１６）。ＵＥは、その後、第１のＣＱＩ情報に基づいて第１のセルによりＵＥに送られた第１の送信を受信してもよい（ブロック８１８）。ＵＥはまた、第２のＣＱＩ情報に基づいて第２のセルによりＵＥに送られた第２の送信を受信してもよい（ブロック８２０）。ＵＥは、第１および第２のセルにより他のＵＥに対して使用されていないリソース上で、同時に、第１および第２の送信を受信してもよい。ＵＥは、第１および第２の送信を処理して、第１および第２のセルによりＵＥに送られたデータを取得してもよい。
【００９３】
ＵＥはまた、第１のセルに対する第１のチャネル推定と、第２のセルに対する第２のチャネル推定とを決定してもよい。ＵＥは、第１および第２のチャネル推定を第１および第２のセルに送ってもよい。第１の送信は、第１のチャネル推定にさらに基づいて、第１のセルにより送られてもよい。第２のチャネル推定は、第２のチャネル推定にさらに基づいて、第２のセルにより送られてもよい。
【００９４】
ブロック８１６の１つの設計において、ＵＥは、第１のＣＱＩ情報を第１のセルに送ってもよく、第２のセルに転送するために、第２のＣＱＩ情報を第１のセルに送ってもよい。ブロック８１６の別の設計において、ＵＥは、第１のＣＱＩ情報を第１のセルに送ってもよく、第２のＣＱＩ情報を第２のセルに送ってもよい。
【００９５】
１つの設計において、第１および第２のＣＱＩ情報を含むフィードバック情報に対するビットの総数が、予め定められている値に等しいか、または、予め定められている値よりも小さい場合、ＵＥは、制御チャネル（例えば、ＰＵＣＣＨ）上でフィードバック情報を送ってもよい。フィードバック情報に対するビットの総数が、予め定められている値よりも大きい場合、ＵＥは、データチャネル（例えば、ＰＵＳＣＨ）上でフィードバック情報を送ってもよい。ＵＥはまた、他の方法でＣＱＩ情報を送ってもよい。
【００９６】
図９は、ワイヤレス通信システム中でデータを受信する装置９００の設計を示す。装置９００は、第１のセルに対する第１のＣＱＩ情報を決定するモジュール９１２と、第２のセルに対する第２のＣＱＩ情報を決定するモジュール９１４と、第１および第２のセルのうちの少なくとも１つに対して、第１および第２のＣＱＩ情報をＵＥから送るモジュール９１６と、第１のＣＱＩ情報に基づいて第１のセルによりＵＥに送られた第１の送信を受信するモジュール９１８と、第２のＣＱＩ情報に基づいて第２のセルによりＵＥに送られた第２の送信を受信するモジュール９２０とを含む。
【００９７】
図１０は、ワイヤレス通信システム中でデータを送るためのプロセス１０００の設計を示す。プロセス１０００は、（以下で記述するように）ノードＢにより、または、他の何らかのエンティティにより実行してもよい。ノードＢは、ＵＥから、第１のセルに対する第１のＣＱＩ情報を受信してもよく（ブロック１０１２）、ＵＥから、第２のセルに対する第２のＣＱＩ情報を受信してもよい（ブロック１０１４）。ノードＢは、第１のＣＱＩ情報に基づいて、第１のセルからＵＥに第１の送信を送ってもよい（ブロック１０１６）。ノードＢは、第２のＣＱＩ情報に基づいて、第２のセルからＵＥに第２の送信を送ってもよい（ブロック１０１８）。ノードＢは、第１および第２のセルにより他のＵＥに対して使用されていないリソース上で、ＵＥに対して同時に第１および第２の送信を送ってもよい。
【００９８】
図１１は、ワイヤレス通信システム中でデータを送る装置１１００の設計を示す。装置１１００は、ＵＥから、第１のセルに対する第１のＣＱＩ情報を受信するモジュール１１１２と、ＵＥから、第２のセルに対する第２のＣＱＩ情報を受信するモジュール１１１４と、第１のＣＱＩ情報に基づいて、第１のセルからＵＥに第１の送信を送るモジュール１１１６と、第２のＣＱＩ情報に基づいて、第２のセルからＵＥに第２の送信を送るモジュール１１１８とを含む。
【００９９】
図１２は、ワイヤレス通信システム中でデータを受信するためのプロセス１２００の設計を示す。プロセス１２００は、（以下で記述するように）ＵＥにより、または、他の何らかのエンティティにより、実行してもよい。ＵＥは、ビームステアリングを実行してＵＥへの干渉を低減させる第２のセルからの、より低い干渉を考慮に入れることにより、第１のセルに対するＳＩＮＲを推定してもよい（ブロック１２１２）。ＵＥは、推定されたＳＩＮＲに基づいて、ＣＱＩ情報を決定してもよく（ブロック１２１４）、ＣＱＩ情報を第１のセルに送ってもよい（ブロック１２１６）。ＵＥは、その後、ＣＱＩ情報に基づいて第１のセルによりＵＥに送られた送信を受信してもよい（ブロック１２１８）。
【０１００】
１つの設計において、ＵＥは、各セルに対するチャネル応答ベクトルｈを取得してもよい。ＵＥは、チャネル応答ベクトルに基づいて、１組のチャネルベクトルからチャネルベクトルｈ^を選択してもよい。ＵＥは、各セルに対する、選択されたチャネルベクトルを、そのセルまたは指定されたセルに送ってもよい。第１のセルは、その選択されたチャネルベクトルに基づいて、第１のプリコーディングベクトルを選択してもよく、第１のプリコーディングベクトルに基づいて、ＵＥに送信を送ってもよい。第２のセルは、その選択されたチャネルベクトルに基づいて、第２のプリコーディングベクトルを選択してもよく、第２のプリコーディングベクトルに基づいてビームフォーミングを実行して、ＵＥへの干渉を低減させてもよい。
【０１０１】
ブロック１２１２の１つの設計において、ＵＥは、ＵＥにおける、第１のセルに対する受信電力を決定し、ＵＥにおけるノイズを推定し、例えば、等式（８）または（９）中で示したように、第１のセルに対する受信電力と、ＵＥにおける推定ノイズと、ＵＥにおける、第２のセルからのゼロ干渉電力の仮定とに基づいて、ＳＩＮＲを推定してもよい。ブック１２１２の別の設計において、ＵＥは、ＵＥにおける、第１のセルに対する受信電力を決定し、第２のセルによる部分的な干渉ヌリングに起因する、ＵＥにおける第２のセルからの干渉電力を決定し、ＵＥにおけるノイズを推定し、例えば、等式（１４）中で示したように、第１のセルに対する受信電力と、第２のセルからの干渉電力と、ＵＥにおける推定ノイズとに基づいて、ＳＩＮＲを推定してもよい。ＵＥは、チャネル応答ベクトルと、第２のセルに対して選択されたチャネルベクトルとに基づいて、誤差項（例えば、ｓｉｎ2θju）を決定してもよい。ＵＥは次に、例えば、等式（１２）および（１４）中で示したように、チャネル応答ベクトルと誤差項とに基づいて、第２のセルからの干渉電力を決定してもよい。
【０１０２】
図１３は、ワイヤレス通信システム中でデータを受信する装置１３００の設計を示す。装置１３００は、ビームステアリングを実行してＵＥへの干渉を低減させる第２のセルからの、より低い干渉を考慮に入れることにより、ＵＥにおいて、第１のセルに対するＳＩＮＲを推定するモジュール１３１２と、推定されたＳＩＮＲに基づいて、ＣＱＩ情報を決定するモジュール１３１４と、ＣＱＩ情報を第１のセルに送るモジュール１３１６と、ＣＱＩ情報に基づいて第１のセルによりＵＥに送られた送信を受信するモジュール１３１８とを含む。
【０１０３】
図５、７、９、１１および１３中のモジュールは、プロセッサ、エレクトロニクスデバイス、ハードウェアデバイス、エレクトロニクスコンポーネント、論理回路、メモリ、ソフトウェアコード、ファームウェアコードなど、または、これらの任意の組み合わせを備えていてもよい。
【０１０４】
図１４は、ノードＢ１１０およびＵＥ１２０の設計のブロック図を示す。ノードＢ１１０およびＵＥ１２０は、図１中のノードＢのうちの１つ、およびＵＥのうちの１つであってもよい。ノードＢ１１０は、複数（Ｔ本）のアンテナ１４３４ａないし１４３４ｔを備えている。ＵＥ１２０は、１つ以上（Ｒ本）のアンテナ１４５２ａないし１４５２ｒを備えている。
【０１０５】
ノードＢ１１０において、送信プロセッサ１４２０は、データ源１４１２から１つ以上のＵＥに対するデータを受け取り、各ＵＥに対して選択された１つ以上のＭＣＳに基づいて、そのＵＥに対するデータを処理し（例えば、エンコードし、インターリーブし、変調する）、すべてのＵＥに対するデータシンボルを提供する。送信プロセッサ１４２０はまた、制御装置／プロセッサ１４４０から制御情報を受け取り、制御情報を処理し、制御シンボルを提供してもよい。送信プロセッサ１４２０はまた、基準信号またはパイロットに対してパイロットシンボルを発生させてもよい。送信（ＴＸ）ＭＩＭＯプロセッサ１４３０は、データシンボル、制御シンボルおよびパイロットシンボルに対してプリコーディング／ビームステアリングを実行してもよく、Ｔ個の出力シンボルストリームを、Ｔ個の変調器（ＭＯＤ）１４３２ａないし１４３２ｔに提供してもよい。各変調器１４３２は、（例えば、ＯＦＤＭなどに対する）その出力シンボルストリームを処理して、出力サンプルストリームを取得してもよい。各変調器１４３２はさらに、その出力サンプルストリームを調整し（例えば、アナログに変換し、フィルタリングし、増幅し、アップコンバートする）、ダウンリンク信号を発生させてもよい。変調器１４３２ａないし１４３２ｔからのＴ個のダウンリンク信号は、それぞれ、アンテナ１４３４ａないし１４３４ｔを通して送信してもよい。
【０１０６】
ＵＥ１２０において、アンテナ１４５２ａないし１４５２ｒは、ノードＢ１１０からダウンリンク信号を受信してもよく、受信した信号を、それぞれ、復調器（ＤＥＭＯＤ）１４５４ａないし１４５４ｒに提供してもよい。各復調器１４５４は、その受信信号を調整して（例えば、フィルタリングし、増幅し、ダウンコンバートし、デジタル化する）、サンプルを取得してもよく、さらに、（例えば、ＯＦＤＭなどに対する）サンプルを処理して、受信シンボルを取得してもよい。各復調器１４５４は、受信データシンボルおよび制御シンボルを、ＭＩＭＯ検出器／等化器１４６０に提供してもよく、受信パイロットシンボルをチャネルプロセッサ１４９４に提供してもよい。チャネルプロセッサ１４９４は、受信パイロットシンボルに基づいて、ノードＢ１１０からＵＥ１２０へのワイヤレスチャネルの応答を推定してもよく、対象となっている各セルに対するチャネル推定を提供してもよい。ＭＩＭＯ検出器／等化器１４６０は、チャネル推定に基づいて、受信データシンボルおよび制御シンボルに関してＭＩＭＯ検出／等化を実行して、検出されたシンボルを提供してもよい。検出されたシンボルは、送信されたデータシンボルおよび制御シンボルの推定である。受信プロセッサ１４７０は、検出されたシンボルを処理し（例えば、復調し、デインターリーブし、デコードする）、デコードされたデータをデータシンク１４７２に提供し、デコードされた制御情報を制御装置／プロセッサ１４９０に提供してもよい。
【０１０７】
ＵＥ１２０は、チャネル状態を評価して、フィードバック情報を発生させてもよい。フィードバック情報は、ＣＤＩ情報、ＣＱＩ情報、および／または、担当セルおよび非担当セルに対する他の情報を含んでいてもよい。データ源１４７８からのフィードバック情報およびデータは、送信プロセッサ１４８０により処理し、（利用可能な場合）ＴＸ ＭＩＭＯプロセッサ１４８２によりプリコードし、さらに、変調器１４５４ａないし１４５４ｒにより処理して、Ｒ個のアップリンク信号を発生させてもよく、Ｒ個のアップリンク信号は、アンテナ１４５２ａないし１４５２ｒを通して送信してもよい。ノードＢ１１０において、ＵＥ１２０からのアップリンク信号を、アンテナ１４３４ａないし１４３４ｔにより受信し、復調器１４３２ａないし１４３２ｔにより処理し、ＭＩＭＯ検出器／等化器１４３６により空間的に処理し、さらに、受信プロセッサ１４３８により処理して、ＵＥ１２０により送られたフィードバック情報およびデータを回復してもよい。デコードしたデータをデータシンク１４３９に提供してもよい。制御装置／プロセッサ１４４０は、デコードされたフィードバック情報に基づいて、ＵＥ１２０へのデータ送信を制御してもよい。制御装置／プロセッサ１４４０および１４９０は、それぞれ、ノードＢ１１０およびＵＥ１２０における動作を指示してもよい。ノードＢ１１０における、プロセッサ１４４０および／または他のプロセッサ、ならびにモジュールは、図６中のプロセス６００、図１０中のプロセス１０００、および／または、ここで記述した技術に対する他のプロセスを実行または指示してもよい。ＵＥ１２０における、プロセッサ１４９０および／または他のプロセッサ、ならびにモジュールは、図４中のプロセス４００、図８中のプロセス８００、図１２中のプロセス１２００、および／または、ここで記述した技術に対する他のプロセスを実行してもよい。メモリ１４４２および１４９２は、それぞれ、ノードＢ１１０およびＵＥ１２０に対するデータおよびプログラムコードを記憶してもよい。スケジューラ１４４４は、すべてのＵＥから受信したフィードバック情報（例えば、ＣＤＩおよびＣＱＩ情報）に基づいて、ダウンリンクおよび／またはアップリンク上でのデータ送信に対して、ＵＥ１２０および／または他のＵＥを選択してもよい。
【０１０８】
さまざまな異なる技術および技法のいずれかを使用して情報および信号を表わしてもよいことを、当業者は理解するであろう。例えば、電圧、電流、電磁波、磁界または磁気粒子、光領域または光粒子、あるいはそれらの任意の組み合わせにより、上の記述を通して参照されているデータ、命令、コマンド、情報、信号、ビット、シンボルおよびチップを表わしてもよい。
【０１０９】
電子ハードウェア、コンピュータソフトウェアまたは両方の組み合わせとして、ここでの開示に関して記述したさまざまな実例となる論理ブロック、モジュール、回路およびアルゴリズムステップを実現してもよいことを、当業者はさらに理解するであろう。ハードウェアおよびソフトウェアのこの互換性を明瞭に説明するために、さまざまな実例となるコンポーネント、ブロック、モジュール、回路、およびステップをそれらの機能の点から一般的に上述した。このような機能がハードウェアまたはソフトウェアとして実現されるかどうかは、特定の用途およびシステム全体に課される設計制約に依存する。当業者は、各特定の用途に対して、さまざまな方法で、記述した機能を実現するかもしれないが、そのような実現の決定は、本開示の範囲からの逸脱を生じさせるものとして解釈すべきではない。
【０１１０】
汎用プロセッサ、デジタル信号プロセッサ（ＤＳＰ）、特定用途向け集積回路（ＡＳＩＣ）、フィールドプログラム可能ゲートアレイ（ＦＰＧＡ）または他のプログラム可能論理デバイス、ディスクリートゲートまたはトランジスタ論理、ディスクリートハードウェアコンポーネント、あるいはここで記述した機能を実行するために設計された、これらの任意の組み合わせにより、ここでの開示に関して記述した、さまざまな実例となる、論理ブロック、モジュールおよび回路を実現または実行してもよい。汎用プロセッサはマイクロプロセッサでもよいが、代わりに、プロセッサは任意の従来のプロセッサ、制御装置、マイクロ制御装置、または状態遷移機械であってもよい。計算デバイスの組み合わせ、例えば、ＤＳＰとマイクロプロセッサとの組み合わせ、複数のマイクロプロセッサ、ＤＳＰコアに関連した１つ以上のマイクロプロセッサ、または他の任意のこのような構成として、プロセッサを実現してもよい。
【０１１１】
ここでの開示に関して記述した方法またはアルゴリズムのステップを、ハードウェア中で直接、プロセッサにより実行されるソフトウェアモジュール中で、またはその２つの組み合わせ中で具体化してもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ、または技術的に知られている他の任意の形態の記憶媒体中に存在してもよい。プロセッサが記憶媒体から情報を読み取ることができ、記憶媒体に情報を書き込むことができるように、例示的な記憶媒体はプロセッサに結合されている。代わりに、記憶媒体はプロセッサと一体化されていてもよい。プロセッサおよび記憶媒体は、ＡＳＩＣ中に存在してもよい。ＡＳＩＣはユーザ端末中に存在してもよい。代わりに、プロセッサおよび記憶媒体は、ユーザ端末中にディスクリートコンポーネントとして存在してもよい。
【０１１２】
１つ以上の例示的な設計において、記述した機能は、ハードウェア、ソフトウェア、ファームウェア、またはこれらの任意の組み合わせ中で実現してもよい。ソフトウェアにおいて実現する場合、コンピュータ読み取り可能媒体上に、１つ以上の命令またはコードとして、機能を記憶させてもよく、または機能を送信してもよい。コンピュータ読み取り可能媒体は、コンピュータ記憶媒体と、ある場所から別の場所へのコンピュータプログラムの転送を容易にする何らかの媒体を含む通信媒体との両方を含む。記憶媒体は、汎用または特殊用途のコンピュータによりアクセスできる任意の利用可能な媒体であってもよい。一例として、限定ではないが、そのようなコンピュータ読み取り可能媒体は，ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、命令またはデータ構造の形態で所望のプログラムコード手段を搬送または記憶するために使用でき、そして、汎用用途または特殊用途のコンピュータ、あるいは、汎用用途または特殊用途のプロセッサによりアクセスできる他の任意の媒体を備えることができる。さらに、いくつかの接続は、適切にコンピュータ読み取り可能媒体と呼ばれる。例えば、ソフトウェアが、同軸ケーブル、光ファイバケーブル、ツイストペア線、デジタル加入者線（ＤＳＬ）、または、赤外線、無線、およびマイクロ波のようなワイヤレス技術を使用して、ウェブサイト、サーバまたは他のリモート情報源から送信される場合、同軸ケーブル、光ファイバケーブル、ツイストペア線、ＤＳＬ、または、赤外線、無線、およびマイクロ波のようなワイヤレス技術は、媒体の定義に含まれる。ここで使用されるディスク（Ｄｉｓｋおよびｄｉｓｃ）は、コンパクトディスク（ＣＤ）、レーザーディスク（登録商標）、光ディスク、デジタルバーサタイルディスク（ＤＶＤ）、フロッピー（登録商標）ディスク、およびブルーレイディスクを含み、ディスク（ｄｉｓｋ）は通常、磁気的にデータを再生し、一方、ディスク（ｄｉｓｃ）は、レーザにより光学的にデータを再生する。上述の組み合わせもまた、コンピュータ読み取り可能媒体の範囲内に含まれるべきである。
【０１１３】
いかなる当業者であっても本開示を実施しまたは使用できるように、本開示の記述をこれまでに提供している。本開示に対してさまざまな修正が当業者に容易に明らかであり、本開示の精神または範囲から逸脱することなく、ここで規定した一般的な原理を、他のバリエーションに適用してもよい。したがって、本開示は、ここで記述した例および設計に限定されるように意図されていないが、ここで開示した原理および新規な特徴に矛盾しない最も広い範囲に一致すべきである。
以下に、本願出願の当初の特許請求の範囲に記載された発明を付記する。
［１］ワイヤレス通信のための方法において、
ユーザ機器（ＵＥ）において、第１のセルに対する第１のチャネル推定を決定することと、
前記ＵＥにおいて、第２のセルに対する第２のチャネル推定を決定することと、
前記第１および第２のセルのうちの少なくとも１つに対して、前記第１および第２のチャネル推定を前記ＵＥから送ることと、
前記第１のチャネル推定に基づいて前記第１のセルにより送られた第１の送信を受信することと、
前記第２のチャネル推定に基づいて前記第２のセルにより送られた第２の送信を受信することとを含み、
前記第１および第２の送信は、同じリソース上で受信される方法。
［２］前記第１の送信は、前記第１のセルにより前記ＵＥに送られ、前記第２の送信は、前記ＵＥへの干渉を低減させるために、前記第２のチャネル推定に基づいて前記第２のセルにより送られる上記［１］記載の方法。
［３］前記第１のセルに対するチャネル品質インジケータ（ＣＱＩ）情報を決定することと、
前記ＣＱＩ情報を前記第１のセルに送ることとをさらに含み、
前記第１の送信は、前記ＣＱＩ情報にさらに基づいて、前記第１のセルにより送られる上記［１］記載の方法。
［４］前記第１のセルに対する第１のチャネル推定を決定することは、
前記第１のセルに対するチャネル応答ベクトルを取得することと、
前記チャネル応答ベクトルに基づいて、１組のチャネルベクトルからチャネルベクトルを選択することと、
前記選択したチャネルベクトルを前記第１のチャネル推定として提供することとを含む上記［１］記載の方法。
［５］前記第１のセルに対するチャネル応答ベクトルを取得することは、
前記第１のセルに対するチャネル応答行列を取得することと、
前記ＵＥに対する受信フィルタベクトルを決定することと、
前記チャネル応答行列と、前記受信フィルタベクトルとに基づいて、前記チャネル応答ベクトルを決定することとを含む上記［４］記載の方法。
［６］第１のビット数により、前記第１のチャネル推定を量子化することと、
前記第１のビット数よりも大きい第２のビット数により、前記第２のチャネル推定を量子化することとをさらに含む上記［１］記載の方法。
［７］前記第１のセルに対する第１のチャネル推定は、複数の副帯域のそれぞれに対して決定され、前記第１のセルに送られる上記［１］記載の方法。
［８］前記第１および第２のチャネル推定を送ることは、
前記第１のチャネル推定を前記第１のセルに送ることと、
前記第２のセルに転送するために、前記第２のチャネル推定を前記第１のセルに送ることとを含む上記［１］記載の方法。
［９］前記第１および第２のチャネル推定を送ることは、
前記第１のチャネル推定を前記第１のセルに送ることと、
前記第２のチャネル推定を前記第２のセルに送ることとを含む上記［１］記載の方法。
［１０］前記第１および第２のチャネル推定を送ることは、
前記第１および第２のチャネル推定を含むフィードバック情報に対するビットの総数が、予め定められている値に等しいか、または、前記予め定められている値よりも小さい場合に、制御チャネル上で前記フィードバック情報を送ることと、
前記フィードバック情報に対するビットの総数が、前記予め定められている値よりも大きい場合に、データチャネル上で前記フィードバック情報を送ることとを含む上記［１］記載の方法。
［１１］前記第１および第２のチャネル推定を送ることは、時分割多重化（ＴＤＭ）により、前記第１および第２のチャネル推定を送ることを含む上記［１］記載の方法。
［１２］ワイヤレス通信のための装置において、
ユーザ機器（ＵＥ）において、第１のセルに対する第１のチャネル推定を決定する手段と、
前記ＵＥにおいて、第２のセルに対する第２のチャネル推定を決定する手段と、
前記第１および第２のセルに対して、前記第１および第２のチャネル推定を前記ＵＥから送る手段と、
前記第１のチャネル推定に基づいて前記第１のセルにより送られた第１の送信を受信する手段と、
前記第２のチャネル推定に基づいて前記第２のセルにより送られた第２の送信を受信する手段とを具備する装置。
［１３］前記第１のセルに対するチャネル品質インジケータ（ＣＱＩ）情報を決定する手段と、
前記ＣＱＩ情報を前記第１のセルに送る手段とをさらに具備し、
前記第１の送信は、前記ＣＱＩ情報にさらに基づいて、前記第１のセルにより送られる上記［１２］記載の装置。
［１４］前記第１のセルに対する第１のチャネル推定を決定する手段は、
前記第１のセルに対するチャネル応答ベクトルを取得する手段と、
前記チャネル応答ベクトルに基づいて、１組のチャネルベクトルからチャネルベクトルを選択する手段と、
前記選択したチャネルベクトルを前記第１のチャネル推定として提供する手段とを備える上記［１２］記載の装置。
［１５］前記第１および第２のチャネル推定を送る手段は、
前記第１および第２のチャネル推定を含むフィードバック情報に対するビットの総数が、予め定められている値に等しいか、または、前記予め定められている値よりも小さい場合に、制御チャネル上で前記フィードバック情報を送る手段と、
前記フィードバック情報に対するビットの総数が、前記予め定められている値よりも大きい場合に、データチャネル上で前記フィードバック情報を送る手段とを備える上記［１２］記載の装置。
［１６］ワイヤレス通信のための装置において、
ユーザ機器（ＵＥ）において、第１のセルに対する第１のチャネル推定を決定し、前記ＵＥにおいて、第２のセルに対する第２のチャネル推定を決定し、前記第１および第２のセルに対して、前記第１および第２のチャネル推定を前記ＵＥから送り、前記第１のチャネル推定に基づいて前記第１のセルにより送られた第１の送信を受信し、前記第２のチャネル推定に基づいて前記第２のセルにより送られた第２の送信を受信するように構成されている少なくとも１つのプロセッサを具備する装置。
［１７］前記少なくとも１つのプロセッサは、前記第１のセルに対するチャネル品質インジケータ（ＣＱＩ）情報を決定し、前記ＣＱＩ情報を前記第１のセルに送り、前記ＣＱＩ情報にさらに基づいて前記第１のセルにより送られた前記第１の送信を受信するように構成されている上記［１６］記載の装置。
［１８］前記少なくとも１つのプロセッサは、前記第１のセルに対するチャネル応答ベクトルを取得し、前記チャネル応答ベクトルに基づいて、１組のチャネルベクトルからチャネルベクトルを選択し、前記選択したチャネルベクトルを前記第１のチャネル推定として提供するように構成されている上記［１６］記載の装置。
［１９］前記少なくとも１つのプロセッサは、前記第１および第２のチャネル推定を含むフィードバック情報に対するビットの総数が、予め定められている値に等しいか、または、前記予め定められている値よりも小さい場合に、制御チャネル上で前記フィードバック情報を送り、前記フィードバック情報に対するビットの総数が、前記予め定められている値よりも大きい場合に、データチャネル上で前記フィードバック情報を送るように構成されている上記［１６］記載の装置。
［２０］コンピュータプログラムプロダクトにおいて、
コンピュータ読み取り可能媒体を具備し、
前記コンピュータ読み取り可能媒体は、
少なくとも１つのコンピュータに、ユーザ機器（ＵＥ）において、第１のセルに対する第１のチャネル推定を決定させるためのコードと、
前記少なくとも１つのコンピュータに、前記ＵＥにおいて、第２のセルに対する第２のチャネル推定を決定させるためのコードと、
前記少なくとも１つのコンピュータに、前記第１および第２のセルに対して、前記第１および第２のチャネル推定を前記ＵＥから送らせるためのコードと、
前記少なくとも１つのコンピュータに、前記第１のチャネル推定に基づいて前記第１のセルにより送られた第１の送信を受信させるためのコードと、
前記少なくとも１つのコンピュータに、前記第２のチャネル推定に基づいて前記第２のセルにより送られた第２の送信を受信させるためのコードとを含むコンピュータプログラムプロダクト。
［２１］ワイヤレス通信のための方法において、
第１のセルと通信する第１のユーザ機器（ＵＥ）から第１のチャネル推定を受信することと、
第２のセルと通信する第２のＵＥから第２のチャネル推定を受信することと、
前記第１のセルの送信電力を前記第１のＵＥに向け、前記第２のＵＥへの干渉を低減させるために、前記第１および第２のチャネル推定に基づいて、前記第１のセルに対するプリコーディングベクトルを選択することと、
前記プリコーディングベクトルに基づいて、前記第１のセルから前記第１のＵＥに送信を送ることとを含む方法。
［２２］前記第１のＵＥからチャネル品質インジケータ（ＣＱＩ）情報を受信することと、
前記ＣＱＩ情報に基づいて、変調およびコーディングスキームを決定することと、
前記変調およびコーディングスキームに基づいて、前記第１のＵＥに対する前記送信を発生させることとをさらに含む上記［２１］記載の方法。
［２３］前記第１および第２のチャネル推定に基づいて、前記第１および第２のＵＥ間の空間直交性を決定することと、
前記第１および第２のＵＥ間の空間直交性に基づいて、送信のための前記第１のＵＥを選択することとをさらに含む上記［２１］記載の方法。
［２４］ワイヤレス通信のための装置において、
第１のセルと通信する第１のユーザ機器（ＵＥ）から第１のチャネル推定を受信する手段と、
第２のセルと通信する第２のＵＥから第２のチャネル推定を受信する手段と、
前記第１のセルの送信電力を前記第１のＵＥに向け、前記第２のＵＥへの干渉を低減させるために、前記第１および第２のチャネル推定に基づいて、前記第１のセルに対するプリコーディングベクトルを選択する手段と、
前記プリコーディングベクトルに基づいて、前記第１のセルから前記第１のＵＥに送信を送る手段とを具備する装置。
［２５］前記第１のＵＥからチャネル品質インジケータ（ＣＱＩ）情報を受信する手段と、
前記ＣＱＩ情報に基づいて、変調およびコーディングスキームを決定する手段と、
前記変調およびコーディングスキームに基づいて、前記第１のＵＥに対する前記送信を発生させる手段とをさらに具備する上記［２４］記載の装置。
［２６］ワイヤレス通信のための方法において、
第１のセルに対する第１のチャネル品質インジケータ（ＣＱＩ）情報を決定することと、
第２のセルに対する第２のＣＱＩ情報を決定することと、
前記第１および第２のセルのうちの少なくとも１つに対して、前記第１および第２のＣＱＩ情報をユーザ機器（ＵＥ）から送ることと、
前記第１のＣＱＩ情報に基づいて第１のセルにより前記ＵＥに送られた第１の送信を受信することと、
前記第２のＣＱＩ情報に基づいて前記第２のセルにより前記ＵＥに送られた第２の送信を受信することとを含む方法。
［２７］前記第１のセルに対する第１のチャネル推定を決定することと、
前記第２のセルに対する第２のチャネル推定を決定することとをさらに含み、
前記第１の送信は、前記第１のチャネル推定にさらに基づいて、前記第１のセルにより送られ、
前記第２の送信は、前記第２のチャネル推定にさらに基づいて、前記第２のセルにより送られる上記［２６］記載の方法。
［２８］前記第１および第２の送信は、前記第１および第２のセルにより他のＵＥに対して使用されていないリソース上で、前記ＵＥにより同時に受信される上記［２６］記載の方法。
［２９］前記第１および第２のＣＱＩ情報を送ることは、
前記第１のＣＱＩ情報を前記第１のセルに送ることと、
前記第２のセルに転送するために、前記第２のＣＱＩ情報を前記第１のセルに送ることとを含む上記［２６］記載の方法。
［３０］前記第１および第２のＣＱＩ情報を送ることは、
前記第１のＣＱＩ情報を前記第１のセルに送ることと、
前記第２のＣＱＩ情報を前記第２のセルに送ることとを含む上記［２６］記載の方法。
［３１］前記第１および第２のＣＱＩ情報を送ることは、
前記第１および第２のＣＱＩ情報を含むフィードバック情報に対するビットの総数が、予め定められている値に等しいか、または、前記予め定められている値よりも小さい場合に、制御チャネル上で前記フィードバック情報を送ることと、
前記フィードバック情報に対するビットの総数が、前記予め定められている値よりも大きい場合に、データチャネル上で前記フィードバック情報を送ることとを含む上記［２６］記載の方法。
［３２］ワイヤレス通信のための装置において、
第１のセルに対する第１のチャネル品質インジケータ（ＣＱＩ）情報を決定する手段と、
第２のセルに対する第２のＣＱＩ情報を決定する手段と、
前記第１および第２のセルのうちの少なくとも１つに対して、前記第１および第２のＣＱＩ情報をユーザ機器（ＵＥ）から送る手段と、
前記第１のＣＱＩ情報に基づいて第１のセルにより前記ＵＥに送られた第１の送信を受信する手段と、
前記第２のＣＱＩ情報に基づいて前記第２のセルにより前記ＵＥに送られた第２の送信を受信する手段とを具備する装置。
［３３］前記第１および第２のＣＱＩ情報を送る手段は、
前記第１および第２のＣＱＩ情報を含むフィードバック情報に対するビットの総数が、予め定められている値に等しいか、または、前記予め定められている値よりも小さい場合に、制御チャネル上で前記フィードバック情報を送る手段と、
前記フィードバック情報に対するビットの総数が、前記予め定められている値よりも大きい場合に、データチャネル上で前記フィードバック情報を送る手段とを備える上記［３２］記載の装置。
［３４］ワイヤレス通信のための方法において、
ユーザ機器（ＵＥ）から、第１のセルに対する第１のチャネル品質インジケータ（ＣＱＩ）情報を受信することと、
前記ＵＥから、第２のセルに対する第２のＣＱＩ情報を受信することと、
前記第１のＣＱＩ情報に基づいて、前記第１のセルから前記ＵＥに第１の送信を送ることと、
前記第２のＣＱＩ情報に基づいて、前記第２のセルから前記ＵＥに第２の送信を送ることとを含む方法。
［３５］前記第１および第２の送信は、前記第１および第２のセルにより他のＵＥに対して使用されていないリソース上で、前記ＵＥに同時に送られる上記［３４］記載の方法。
［３６］ワイヤレス通信のための装置において、
ユーザ機器（ＵＥ）から、第１のセルに対する第１のチャネル品質インジケータ（ＣＱＩ）情報を受信する手段と、
前記ＵＥから、第２のセルに対する第２のＣＱＩ情報を受信する手段と、
前記第１のＣＱＩ情報に基づいて、前記第１のセルから前記ＵＥに第１の送信を送る手段と、
前記第２のＣＱＩ情報に基づいて、前記第２のセルから前記ＵＥに第２の送信を送る手段とを具備する装置。
［３７］ワイヤレス通信のための方法において、
ビームステアリングを実行してユーザ機器（ＵＥ）への干渉を低減させる第２のセルからの、より低い干渉を考慮に入れることにより、前記ＵＥにおける、第１のセルに対する信号対ノイズおよび干渉比（ＳＩＮＲ）を推定することと、
前記推定したＳＩＮＲに基づいて、チャネル品質インジケータ（ＣＱＩ）情報を決定することと、
前記ＣＱＩ情報を前記第１のセルに送ることと、
前記ＣＱＩ情報に基づいて前記第１のセルにより前記ＵＥに送られた送信を受信することとを含む方法。
［３８］前記第２のセルに対するチャネル応答ベクトルを取得することと、
前記チャネル応答ベクトルに基づいて、１組のチャネルベクトルからチャネルベクトルを選択することと、
前記選択したチャネルベクトルを前記第２のセルに送ることとをさらに含み、
前記第２のセルは、前記選択したチャネルベクトルに基づいて、プリコーディングベクトルを選択し、前記プリコーディングベクトルに基づいてビームステアリングを実行して、前記ＵＥへの干渉を低減させる上記［３７］記載の方法。
［３９］前記ＵＥにおけるＳＩＮＲを推定することは、
前記ＵＥにおける、前記第１のセルに対する受信電力を決定することと、
前記ＵＥにおけるノイズを推定することと、
前記第１のセルに対する受信電力と、前記ＵＥにおける推定ノイズと、前記第２のセルからのゼロ干渉電力の仮定とに基づいて、前記ＵＥにおけるＳＩＮＲを推定することとを含む上記［３７］記載の方法。
［４０］前記ＵＥにおけるＳＩＮＲを推定することは、
前記ＵＥにおける、前記第１のセルに対する受信電力を決定することと、
前記ＵＥにおける、前記第２のセルによる部分的な干渉ヌリングに起因する、前記第２のセルからの干渉電力を決定することと、
前記ＵＥにおけるノイズを推定することと、
前記第１のセルに対する受信電力と、前記第２のセルからの干渉電力と、前記ＵＥにおける推定ノイズとに基づいて、前記ＵＥにおけるＳＩＮＲを推定することとを含む上記［３７］記載の方法。
［４１］前記ＵＥにおけるＳＩＮＲを推定することは、
前記ＵＥにおける、前記第１のセルに対する受信電力を決定することと、
前記第２のセルに対するチャネル応答ベクトルと、前記チャネル応答ベクトルおよび前記第２のセルに対して選択したチャネルベクトルに基づいて決定された誤差項とに基づいて、前記ＵＥにおける、前記第２のセルからの干渉電力を決定することと、
前記ＵＥにおけるノイズを推定することと、
前記第１のセルに対する受信電力と、前記第２のセルからの干渉電力と、前記ＵＥにおける推定ノイズとに基づいて、前記ＵＥにおけるＳＩＮＲを推定することとを含む上記［３８］記載の方法。
［４２］ワイヤレス通信のための装置において、
ビームステアリングを実行してユーザ機器（ＵＥ）への干渉を低減させる第２のセルからの、より低い干渉を考慮に入れることにより、前記ＵＥにおける、第１のセルに対する信号対ノイズおよび干渉比（ＳＩＮＲ）を推定する手段と、
前記推定されたＳＩＮＲに基づいて、チャネル品質インジケータ（ＣＱＩ）情報を決定する手段と、
前記ＣＱＩ情報を前記第１のセルに送る手段と、
前記ＣＱＩ情報に基づいて前記第１のセルにより前記ＵＥに送られた送信を受信する手段とを具備する装置。
［４３］前記ＵＥにおけるＳＩＮＲを推定する手段は、
前記ＵＥにおける、前記第１のセルに対する受信電力を決定する手段と、
前記ＵＥにおけるノイズを推定する手段と、
前記第１のセルに対する受信電力と、前記ＵＥにおける推定ノイズと、前記第２のセルからのゼロ干渉電力の仮定とに基づいて、前記ＵＥにおけるＳＩＮＲを推定する手段とを備える上記［４２］記載の装置。
［４４］前記ＵＥにおけるＳＩＮＲを推定する手段は、
前記ＵＥにおける、前記第１のセルに対する受信電力を決定する手段と、
前記ＵＥにおける、前記第２のセルによる部分的な干渉ヌリングに起因する、前記第２のセルからの干渉電力を決定する手段と、
前記ＵＥにおけるノイズを推定する手段と、
前記第１のセルに対する受信電力と、前記第２のセルからの干渉電力と、前記ＵＥにおける推定ノイズとに基づいて、前記ＵＥにおけるＳＩＮＲを推定する手段とを備える上記［４２］記載の装置。
【図１】
0005619742.tif 000023
【図２】
0005619742.tif 000024
【図３】
0005619742.tif 000025
【図４】
0005619742.tif 000026
【図５】
0005619742.tif 000027
【図６】
0005619742.tif 000028
【図７】
0005619742.tif 000029
【図８】
0005619742.tif 000030
【図９】
0005619742.tif 000031
【図１０】
0005619742.tif 000032
【図１１】
0005619742.tif 000033
【図１２】
0005619742.tif 000034
【図１３】
0005619742.tif 000035
【図１４】
0005619742.tif 000036